(57)【要約】本発明の目的は、無線アクセス・システムにおけるページング動作を改善するための方法であって、ページングされた移動局から応答がない場合はページング・メッセージを再送信するステップと、前記再送信を基地局レベルで行うステップと、前記再送信をページング・コントローラ・レベルで管理するステップとを備える方法である。
2009542147.tif 000002
【特許請求の範囲】
【請求項１】
無線アクセス・システムにおけるページング動作を改善するための方法であって、
ページングされた移動局から応答がない場合はページング・メッセージを再送信するステップと、
前記再送信を基地局レベルで行うステップと、
前記再送信をページング・コントローラ・レベルで管理するステップと
を備える方法。
【請求項２】
ページング・コントローラからの要求に応じて、再送信を基地局レベルで行うステップ
を備える、請求項１に記載の方法。
【請求項３】
前記再送信管理を可能にするページング制御情報をページング・エージェントにページング・コントローラによって送信するステップ
を備える、請求項１または２のいずれか１項に記載の方法。
【請求項４】
ページング・アナウンス・メッセージ内の前記ページング制御情報を送信するステップ
を備える、請求項３に記載の方法。
【請求項５】
前記ページング制御情報が、基地局が前記移動局をページングしようと試みる試行の数Ｎに対応する、請求項３または４のいずれか１項に記載の方法。
【請求項６】
試行の正の数Ｎが、前記ページング・エージェントが前記移動局を最大でＮ回ページングしようと試みることを暗示し、
ゼロに等しい試行の数Ｎが、前記ページング・エージェントが前記移動局のためのページング停止メッセージを受信するまで前記移動局をページングし続けることを暗示する、
請求項５に記載の方法。
【請求項７】
無線アクセス・システムのためのページング・コントローラであって、
ページングされた移動局から応答がない場合はページング・メッセージの再送信を管理するための手段
を備えるページング・コントローラ。
【請求項８】
ページング・メッセージの再送信を求める要求を送信するための手段
を備える請求項７に記載のページング・コントローラ。
【請求項９】
前記再送信管理を可能にするページング制御情報をページング・エージェントに送信するための手段
を備える、請求項７または８のいずれか１項に記載のページング・コントローラ。
【請求項１０】
ページング・アナウンス・メッセージ内の前記ページング制御情報を送信する手段
を備える、請求項９に記載のページング・コントローラ。
【請求項１１】
前記ページング制御情報が、基地局が前記移動局をページングしようと試みる試行の数Ｎを含む、請求項９または１０のいずれか１項に記載のページング・コントローラ。
【請求項１２】
試行の正の数Ｎが、前記ページング・エージェントが前記移動局を最大でＮ回ページングしようとすることを暗示し、
ゼロに等しい試行の数Ｎが、前記ページング・エージェントが前記移動局のためのページング停止メッセージを受信するまで前記移動局をページングし続けることを暗示する、
請求項１１に記載のページング・コントローラ。
【請求項１３】
無線アクセス・システムのための基地局であって、
ページング・コントローラからの要求に応じて、ページングされた移動局から応答がない場合はページング・メッセージを再送信するための手段
を備える基地局。
【請求項１４】
無線アクセス・システムのためのページング・エージェントであって、
ページングされた移動局から応答がない場合はページング・メッセージの再送信のページング・コントローラ・レベルでの管理を可能にするページング制御情報をページング・コントローラから受信するための手段
を備えるページング・エージェント。
【請求項１５】
ページング・コントローラから、ページング・メッセージの再送信を求める要求を受信するための手段
を備える、請求項１４に記載のページング・エージェント。
【請求項１６】
ページング・アナウンス・メッセージ内の前記ページング制御情報を受信するための手段
を備える、請求項１４または１５のいずれか１項に記載のページング・エージェント。
【請求項１７】
前記ページング制御情報が、基地局が前記移動局をページングしようと試みる試行の数Ｎを含む、請求項１４乃至１６のいずれか１項に記載のページング・エージェント。
【請求項１８】
試行の正の数Ｎが、前記ページング・エージェントが前記移動局を最大でＮ回ページングしようと試みることを暗示し、
ゼロに等しい試行の数Ｎが、前記ページング・エージェントが前記移動局のためのページング停止メッセージを受信するまで前記移動局をページングし続けることを暗示する、
請求項１７に記載のページング・エージェント。
【請求項１９】
無線アクセス・システムにおけるページング動作を改善するための方法であって、ページング・サイクルに加えて、
ページング間隔の継続時間、
前記ＭＳがアイドル・モード状態から前記ネットワークに再び入るのに必要とされる時間、
前記ＭＳ応答を処理するのに必要とされる時間、
ページング応答の送信時間
という要因のうちの少なくとも１つを考慮に入れてその値が設定されるページング・タイマを使用するステップを備える方法。
【請求項２０】
ページング要求またはページング・メッセージの前記送信時に前記ページング・タイマをトリガするステップと、
ページング応答が前記ページング・タイマの時間切れ前に受信されない場合は、新しいページング要求または新しいページング・メッセージを送信するステップと
を備える、請求項１９に記載の方法。
【請求項２１】
無線アクセス・システムのためのページング・コントローラであって、ページング・サイクルに加えて、
ページング間隔の継続時間、
前記ＭＳがアイドル・モード状態から前記ネットワークに再び入るのに必要とされる時間、
前記ＭＳ応答を処理するのに必要とされる時間、
ページング応答の送信時間
という要因のうちの少なくとも１つを考慮に入れてその値が設定されるページング・タイマを使用するための手段を備えるページング・コントローラ。
【請求項２２】
ページング要求の前記送信時に前記ページング・タイマをトリガするための手段と、
ページング応答が前記ページング・タイマの前記時間切れ前に受信されない場合は、新しいページング要求を送信するための手段と
を備える、請求項２１に記載のページング・コントローラ。
【請求項２３】
無線アクセス・システムにおけるページング動作を改善するための方法であって、ページング・メッセージがページング・エージェントによってＮ回（ただしＮは１より大きいかまたは１に等しい）送信されることを示す情報を含むページング・アナウンス・メッセージを前記ページング・エージェントにページング・コントローラによって送信するステップを備える方法。
【請求項２４】
前記情報が、ページング・メッセージが前記ページング・エージェントによってＮ回（ただしＮは１より大きいかまたは１に等しい）送信され、ページング停止要求が前記ページング・コントローラによって送信されないことを示す、請求項２３に記載の方法。
【請求項２５】
前記情報が、前記ページング・エージェントが移動局のためのページング停止メッセージを受信するまでこの移動局をページングし続けることを示す無限の試行を表すゼロに等しい値を有するか、またはそうでない場合は正の値を有する、請求項２３または２４のいずれか１項に記載の方法。
【請求項２６】
無線アクセス・システムのためのページング・コントローラであって、ページング・メッセージがページング・エージェントによってＮ回（ただしＮは１より大きいかまたは１に等しい）送信されることを示す情報を含むページング・アナウンス・メッセージを前記ページング・エージェントに送信するための手段を備えるページング・コントローラ。
【請求項２７】
前記情報が、ページング・メッセージが前記ページング・エージェントによってＮ回、ただしＮは１より大きいか１に等しい、送信され、ページング停止要求が前記ページング・コントローラによって送信されないことを示す、請求項２６に記載のページング・コントローラ。
【請求項２８】
前記情報が、前記ページング・エージェントが移動局のためのページング停止メッセージを受信するまでこの移動局をページングし続けることを示す無限の試行を表すゼロに等しい値を有するか、またはそうでない場合は正の値を有する、請求項２６または２７のいずれか１項に記載のページング・コントローラ。
【請求項２９】
無線アクセス・システムのためのページング・エージェントであって、ページング・メッセージが前記ページング・エージェントによってＮ回（ただしＮは１より大きいかまたは１に等しい）送信されることを示す情報を含むページング・アナウンス・メッセージをページング・コントローラから受信するための手段を備えるページング・エージェント。
【請求項３０】
前記情報が、ページング・メッセージがページング・エージェントによってＮ回（ただしＮは１より大きいかまたは１に等しい）送信され、ページング停止要求が前記ページング・コントローラによって送信されないことを示す、請求項２９に記載のページング・エージェント。
【請求項３１】
前記情報が、ページング・エージェントが移動局のためのページング停止メッセージを受信するまでこの移動局をページングし続けることを示す無限の試行を表すゼロに等しい値を有するか、またはそうでない場合は正の値を有する請求項２９または３０のいずれか１項に記載のページング・エージェント。
【請求項３２】
無線アクセス・システムにおけるページング動作を改善するための方法であって、ページング・エージェントが移動局のためのページング停止メッセージを受信するまでこの移動局をページングし続けることを示す無限の試行を表すゼロに等しい値を有する情報を含むページング・アナウンス・メッセージを前記ページング・エージェントにページング・コントローラによって送信するステップを備える方法。
【請求項３３】
無線アクセス・システムのためのページング・コントローラであって、ページング・エージェントが移動局のためのページング停止メッセージを受信するまでこの移動局をページングし続けることを示す無限の試行を表すゼロに等しい値を有する情報を含むページング・アナウンス・メッセージを前記ページング・エージェントに送信するための手段を備えるページング・コントローラ。
【請求項３４】
無線アクセス・システムのためのページング・エージェントであって、ページング・コントローラによって送信されたページング・アナウンス・メッセージを受信するための手段と、無限の試行を表すゼロに等しい値を有する情報を含むページング・アナウンス・メッセージの受信時に、移動局のためのページング停止メッセージを受信するまでこの移動局をページングし続ける手段とを備えるページング・エージェント。
【発明の詳細な説明】
【技術分野】
【０００１】
本発明は、一般に無線アクセス・システムに関する。
【０００２】
本発明は、特に（しかし、排他的にではなく）ＷｉＭＡＸに適用される。ＷｉＭＡＸの説明は、詳細には、ＩＥＥＥ８０２．１６ｅ規格およびＷｉＭＡＸフォーラム規格において見ることができる。
【背景技術】
【０００３】
ページング機構は、ＩＥＥＥ８０２．１６ｅ規格に規定されている。このページング機構は、図１に関連して簡単に想起される。
【０００４】
ページング・メッセージがページング域（ページング・グループとも呼ばれる）の全ての基地局ＢＳによってブロードキャストされ、詳細には、アイドル・モード状態にあってこのページング・グループ内にある移動局ＭＳに向けられた保留中のダウンリンク・トラフィックの存在を示す。ページング・メッセージは、ＢＳページング間隔と呼ばれる時間間隔の間に無線でブロードキャストされる。
【０００５】
ページング・メッセージを送信した後で、ページングされたＭＳからＢＳが応答を受信しない場合は、ＢＳは、次のＢＳページング間隔で、再送信の数（ページング再試行カウントと呼ばれる）が予め決められた値（最大ページング再試行カウントと言われる）に達するまで、ページング・メッセージを再送信する。ＢＳページング間隔という期間は、ページング・サイクルと呼ばれる。
【０００６】
ページング・コントローラＰＣとページング・エージェントＰＡとの間のページング関連の制御プロトコルおよびメッセージは、ＷｉＭＡＸフォーラム規格に規定されている。ＰＡは、ＰＣと、ＢＳで実施されるＩＥＥＥ８０２．１６ｅ規定のページング関連機能との間のインタラクションを処理する機能エンティティである。ＰＣとＰＡとの間のページング関連メッセージは、詳細には、ＰＣによってＰＡに送信され、ページング・メッセージの送信を求める要求に対応するページング・アナウンス・メッセージ（ＭＳ＿Ｐａｇｉｎｇ＿Ａｎｎｏｕｎｃｅ）を含む。
【０００７】
ＩＥＥＥ８０２．１６ｅ規格に規定されている上記で想起されたページング機構では、ＭＳが１つのＢＳ上のページング・メッセージに応答した場合は、ページング・グループの他の全てのＢＳは、ページング再試行カウントが予め決められた値に達するまでページング・メッセージをブロードキャストし続ける。
【０００８】
他の全てのＢＳにブロードキャストを停止するように要求することを可能にする機構（以下では、ページング開始／停止機構とも呼ばれる）がＷｉＭＡＸフォーラム規格に導入されており、図２に関連して想起される。
【０００９】
この機構では、ＢＳがページング・メッセージの送信をいつ開始し停止するべきかをＢＳに示すために、ページング開始／停止と呼ばれる情報がページング・アナウンス・メッセージに導入されている。
【００１０】
しかし、本発明によって理解されるように、停止情報がいつＢＳに与えられるかによって、そのようなページング開始／停止機構の導入後の状況が、そのようなページング開始／停止機構の導入前の状況と同等であることもある。ＭＳが第１のページング・メッセージに応答した後で、１つまたは複数の無駄なページング・メッセージがブロードキャストされることもある。実際、ページング停止を全ての宛先に確実に配信することを保証するのは難しい。したがって、いくつかのＢＳがページングし続け、その結果として、無線インターフェース上の貴重なリソースが浪費され、システム内の全体的な干渉レベルが上がるというリスクがある。さらに、２つのページング・メッセージ（停止および開始）が送信されなければならない。
【発明の概要】
【発明が解決しようとする課題】
【００１１】
本発明は、詳細には、そのような問題の一部分または全てを解決すること、あるいはそのような欠点の一部分または全てを回避することを可能にする。より一般的には、本発明は、そのようなシステムにおけるページング動作を改善することを可能にする。
【課題を解決するための手段】
【００１２】
これらおよび他の目的は、本発明の一態様では、無線アクセス・システムにおけるページング動作を改善するための方法によって達成され、前記方法は、
−  ページングされた移動局から応答がない場合はページング・メッセージを再送信するステップと、
−  再送信を基地局レベルで行うステップと、
−  再送信をページング・コントローラ・レベルで管理するステップと
を備える。
【００１３】
これらおよび他の目的は、本発明の他の態様では、
−  ページングされた移動局から応答がない場合はページング・メッセージの再送信を管理するための手段
を備える無線アクセス・システムのためのページング・コントローラによって達成される。
【００１４】
これらおよび他の目的は、本発明の他の態様では、
−  ページング・コントローラからの要求に応じて、ページングされた移動局から応答がない場合はページング・メッセージを再送信するための手段
を備える無線アクセス・システムのための基地局によって達成される。
【００１５】
これらおよび他の目的は、本発明の他の態様では、
−  ページングされた移動局から応答がない場合はページング・メッセージの再送信を求める要求をページング・コントローラから受信するための手段
を備えるページング・エージェントによって達成される。
【００１６】
本発明のこれらおよび他の目的は、添付の図面に関連して行われる以下の説明からより明らかになるであろう。
【図面の簡単な説明】
【００１７】
【図１】前記で想起されたページング機構を示す図である。
【図２】前記で想起されたページング開始／停止機構を示す図である。
【図３】本発明の一態様による、本発明による方法の実施例を示す図である。
【図４】本発明の他の態様による、ページング・アナウンス・メッセージの構造を示す図である。
【図５】本発明の他の態様による、本発明による方法の実施例を示す図である。
【発明を実施するための形態】
【００１８】
本発明はまた、以下のように説明され得る。
【００１９】
本発明の様々な態様のうちの１つでは、本発明は、（前記で想起された従来技術の場合のように）ページング・メッセージの再送信を、ＢＳレベルで管理するのではなく、ＰＣレベルで管理することを提案する。
【００２０】
言い換えれば、本発明の様々な態様のうちの１つでは、本発明は、無線アクセス・システムにおけるページング動作を改善するための方法であって、
−  ページングされた移動局から応答がない場合はページング・メッセージを再送信するステップ、
−  再送信を基地局レベルで行うステップ、
−  再送信をページング・コントローラ・レベルで管理するステップ
を備える方法を提案する。
【００２１】
他の態様では、本発明は、ＢＳは、ＰＣが要求したときのみ、無線でページング・メッセージをブロードキャストするだけであることを提案する。
【００２２】
言い換えれば、本発明の様々な態様のうちの他の１つによれば、本発明は、無線アクセス・システムにおけるページング動作を改善するための方法であって、
−  ページング・コントローラからの要求に応じて、ページング・メッセージの再送信を基地局レベルで行うステップ
を備える方法を提案する。
【００２３】
本発明では、ページング・ブロードキャストは、同じページング・グループ内の全てのＢＳのために集中される。
【００２４】
ＭＳが１つのＢＳ上のページング・メッセージに応答した場合は、ＰＣは二度とページング要求を送信しないので、その他の全てのＢＳはページング・メッセージのブロードキャストを自動的に停止する。
【００２５】
ページング・メッセージの繰返しはＰＣによってフルに管理され、ＢＳは、現在ＩＥＥＥ８０２．１６ｅによって規定されていることと比較して、スレーブとして機能する。
【００２６】
ＭＳが直ちに応答した（図３における破線矢印のシーケンスが実行されない）場合は、「ｎ」のページング・メッセージだけが空気を介してブロードキャストされる（ここで、「ｎ」はページング・グループ内のＢＳの数である）。
【００２７】
現在のＩＥＥＥ８０２．１６ｅ規格では、ページング・メッセージのブロードキャストを停止するための機構が実施されていない場合は、ｎ＋（ｎ−１）＊（最大ページング再試行カウント−１）のページング・メッセージが空気を介してブロードキャストされる。
【００２８】
さらに、ＰＣは、２つのメッセージではなく、送信すべきページング・メッセージを１つしか有しない（ページング停止は必要がない）。
【００２９】
本発明の様々な態様のうちの他の１つでは、本発明は、ＷｉＭＡＸフォーラム規格によって定義されている前記で想起されたページング開始／停止機構に適応するために、ページング・メッセージが１回だけ（より一般的には、Ｎ回、ただし、Ｎは１より大きいかまたは１に等しい）送信され、ページング停止要求は送信されないことを示す新しい情報をＰＣによってＰＡに送信されるページング・アナウンス・メッセージに導入することを提案する。本発明は、ＰＣによってＰＡに送信されるメッセージＭＳ＿Ｐａｇｉｎｇ＿Ａｎｎｏｕｎｃｅに新しいＩＥ（情報要素）を導入することを提案する。この新しいＩＥ（「試行の数」と言われる）は、ＰＡがＭＳをページングしようと試みるべき回数を示す。
【００３０】
例えば、
−  試行の数＝０は、無限の試行を表し、ＰＡは、ＰＡがＭＳのためのページング停止メッセージを受信するまでこのＭＳをページングし続ける。
−  試行の数＞０は、ＰＡがＭＳを最大でＮ回ページングしようと試みることを暗示する。
【００３１】
ＭＳ＿Ｐａｇｉｎｇ＿Ａｎｎｏｕｎｃｅメッセージの対応する構造が図４に示されている。
【００３２】
言い換えれば、本発明の様々な態様のうちの他の１つでは、本発明は、無線アクセス・システムにおけるページング動作を改善するための方法であって、
−  基地局レベルで行われる再送信をページング・コントローラ・レベルで管理することを可能にするページング制御情報をページング・エージェントにページング・コントローラによって送信するステップ
を備える方法を提案する。
【００３３】
有利には、前記方法は、
−  ページング・アナウンス・メッセージ内のページング制御情報を送信するステップ
を備える。
【００３４】
有利には、ページング制御情報は、基地局が移動局をページングしようと試みる試行の数Ｎに対応する。
【００３５】
有利には、
−  試行の正の数Ｎは、ページング・エージェントが移動局を最大でＮ回ページングしようと試みることを暗示し、
−  ゼロに等しい試行の数Ｎは、ページング・エージェントが移動局のためのページング停止メッセージを受信するまで移動局をページングし続けることを暗示する。
【００３６】
ＰＡがＭＳを最大でＮ回ページングしようと試みるようなＮの値は、例えば、ネットワーク・オペレータによって、例えば無線および／またはトラフィック状態の関数として、構成されてもよい。例えば、Ｎは、無線および／またはトラフィック状態が低下しているか、またはそうでなければ減少している場合は、増加されてもよく、この後者の場合は、ページング・プロセスをより速くすることを可能にする。
【００３７】
本発明はまた、その目的のために、前記で説明された様々な態様による本発明による方法を実施するための無線アクセス・ネットワークの様々なエンティティ（詳細には、ページング・コントローラ、基地局、ページング・エージェント）を有する。
【００３８】
詳細には、本発明はまた、その目的のために、
−  ページングされた移動局から応答がない場合はページング・メッセージの再送信を管理するための手段
を備える、無線アクセス・システムのためのページング・コントローラを有する。
【００３９】
詳細には、本発明はまた、その目的のために、
−  ページング・コントローラからの要求に応じて、ページングされた移動局からの応答がない場合はページング・メッセージを再送信するための手段
を備える、無線アクセス・システムのための基地局を有する。
【００４０】
詳細には、本発明はまた、その目的のために、
−  ページングされた移動局から応答がない場合はページング・メッセージの再送信を求める要求をページング・コントローラから受信するための手段
を備えるページング・エージェントを有する。
【００４１】
前記手段の詳細な実施は当業者にとって何ら特別な問題を提起せず、したがって、そのような手段は当業者のためにそれらの機能に関して上記で開示されたよりもフルに開示される必要はない。
【００４２】
次に、本発明の他の態様が図５に関連して説明される。この他の態様は、有利には、すでに上記で説明された諸態様のうちの１つまたは複数と共に使用されることができるが、それにもかかわらず、独立していて、すでに上記で説明された前記諸態様なしで使用されることもできる。
【００４３】
上記で想起されたように、ＩＥＥＥ８０２．１６ｅ規格に規定されているページング機構は、ＢＳがＰＣからページング要求を受信した場合、ＢＳは、次に来るＢＳページング間隔（この間隔はＢＳおよびＭＳによって共用されるパラメータ、すなわちページング・サイクル、ページング・オフセットによって計算される）の間、空気を介してページング・メッセージをブロードキャストするというようなものである。
【００４４】
本発明によって理解されるように、そのようなＢＳページング間隔との同期はまた、ＢＳに無駄で余分なページング・メッセージをブロードキャストさせる可能性がある。
【００４５】
本発明は、そのような欠点を回避するために、またはより一般的には、そのようなシステムにおけるページング動作を改善するために、以下の機構を使用することを提案する。
【００４６】
上記で想起されたように、ＢＳは、ＭＳからページング応答を受信する前にページング・メッセージを送信しなければならないこともある。本発明は、無線リソースの消費を最小限にするためにも、以下のようにその値が計算される繰返しタイマによって再送信期間を管理することを提案する。
【００４７】
本発明は、ＭＳから応答が受信されない場合はＰＣがページング・メッセージの再送信を管理することを提案する。その目的のために、ＰＣは、ページング・タイマならびにページング再試行カウントを管理する。
【００４８】
例えば、ページング・タイマは、ページング要求がＰＣによって送信されたときにトリガされてもよい。ページングされた移動局からページング・タイマの時間切れ前に応答が受信された場合は、新しいページング要求はＰＣによって送信されない。そうでない場合は、新しいページング要求がＰＣによって送信される。
【００４９】
ページング・タイマ値は、ＭＳに割り当てられたページング・サイクル値（ページング・サイクルＭＳ）によって計算される。実際、ＭＳをそのページング・リスニング間隔外でページングしようと試みることは無駄である。ページング・タイマは、有利には、以下のように計算される。
ページング・タイマ継続時間＝ページング・サイクルＭＳｘフレーム継続時間＋ページング再試行訂正時間＋マージン
式中、図５に示されているように、
・  ページング再試行訂正時間は、ＢＳページング間隔の継続時間を考慮に入れた追加の時間、ＭＳがアイドル・モードからネットワークに再び入るのに必要とされる時間（すなわち、ＣＤＭＡレンジング）、およびＢＳがＭＳ応答（すなわち、ＲＮＧ−ＲＥＱメッセージ）を処理するのに必要とする時間である。この訂正は、ページング・メッセージが現在のまたは最初に来る対応するＢＳページング間隔を逃した場合、空気を介してページング・メッセージを無駄に繰り返さないことを可能にし、したがって、次の対応するＢＳページング間隔に処理されるだけである。
・  マージンは、ページング応答の送信時間ならびにＰＣがページング応答を処理するのに必要とする時間を考慮に入れるために、ページング・タイマ継続時間を調整するために使用されることができる追加の継続時間である。
【００５０】
言い換えれば、本発明の様々な態様のうちの他の１つによれば、本発明はまた、無線アクセス・システムにおけるページング動作を改善するための方法であって、ページング・サイクルに加えて、以下のパラメータのうちの少なくとも１つを考慮してその継続時間が設定されるページング・タイマを使用するステップを備える方法を提案する。
−  ページング間隔の継続時間、
−  ＭＳがアイドル・モード状態からネットワークに再び入るのに必要とされる時間、
−  ＭＳ応答を処理するのに必要とされる時間、
−  ページング応答の送信時間。
【００５１】
前記方法は、
−  （再送信の管理がページング・コントローラ・レベルで行われる場合は）ページング要求の、または（再送信の管理が基地局レベルで行われる場合は）ページング・メッセージの送信時に、ページング・タイマをトリガするステップと、
−  ページング要求がページング時間の期限切れ前に受信されない場合は、新しいページング要求（または新しいページング・メッセージ）を送信するステップと
をさらに含んでもよい。
【００５２】
本発明はまた、その目的のために、そのような方法を実施するための無線アクセス・ネットワークの様々なエンティティ（詳細には、ページング・コントローラ、基地局）を有する。
【００５３】
したがって、本発明はまた、その目的のために、以下のパラメータのうちの少なくとも１つを考慮に入れてその継続時間が設定されるページング・タイマを使用するための手段を備える無線アクセス・システムのためのページング・コントローラを有する。
−  ページング間隔の継続時間、
−  ＭＳがアイドル・モード状態からネットワークに再び入るのに必要とされる時間、
−  ＭＳ応答を処理するのに必要とされる時間、
−  ページング応答の送信時間。
【００５４】
前記ページング・コントローラは、
−  ページング要求の前記送信時にページング・タイマをトリガするための手段、
−  ページング応答がページング・タイマの期限切れ前に受信されない場合は、新しいページング要求を送信するための手段
をさらに含んでもよい。
【００５５】
上記手段の詳細な実施は当業者にとって何ら特別な問題を提起せず、したがって、そのような手段は当業者のためにそれらの機能に関して上記で開示されたよりもフルに開示される必要はない。
【図１】
2009542147.tif 000003
【図２】
2009542147.tif 000004
【図３】
2009542147.tif 000005
【図４】
2009542147.tif 000006
【図５】
2009542147.tif 000007
【国際調査報告】
2009542147.tif 000008
2009542147.tif 000009